(57)【要約】【課題】網戸の両面に付着した塵埃を除去し易いとともに、この除去性能の持続性が高い電気掃除機の吸込み具を提供する。【解決手段】網戸の掃除に使用される吸込み具１１は、吸込み具本体１２と、回転ブラシ２１と、一方向クラッチ（回転負荷手段）を具備する。回転ブラシ２１は、吸込み具本体１２の吸込み開口１３ａに露出するブラシ本体２２、及びこのブラシ本体２２の外周に装着された清掃部材２５を備える。この回転ブラシ２１を吸込み開口１３ａと同方向に延びる軸線周りに回転可能に設ける。清掃部材２５は、網戸に沿って吸込み具本体１２が一方向に移動される場合に倒れ、かつ、網戸に沿って前記一方向とは反対方向に吸込み具本体１２が移動される場合に起きる毛２５ａを有している。一方向クラッチは、吸込み具本体１２が前記一方向に移動される場合に回転ブラシ２１の回転を許し、吸込み具本体１２が前記一方向とは反対方向に移動される場合に回転ブラシ２１の回転に負荷を与える。【選択図】      図３
2010063624.tif 000002
【特許請求の範囲】
【請求項１】
網戸の掃除に使用される電気掃除機の吸込み具において、
接続管部及びこの管部に連通する吸込み開口を有した吸込み具本体と、
前記吸込み開口に露出するブラシ本体及びこのブラシ本体の外周に装着された清掃部材を備えて、前記吸込み開口と同方向に延びる軸線周りに回転可能に前記吸込み具本体内に取付けられるとともに、前記清掃部材が、前記網戸に沿って前記吸込み具本体が一方向に移動される場合に倒れ、かつ、前記網戸に沿って前記一方向とは反対方向に前記吸込み具本体が移動される場合に起きる毛を有している回転ブラシと、
前記吸込み具本体が前記一方向に移動される場合に前記回転ブラシの回転を許すとともに、前記吸込み具本体が前記反対方向に移動される場合に前記回転ブラシの回転に負荷を与える回転負荷手段と、
を具備したことを特徴とする電気掃除機の吸込み具。
【請求項２】
前記回転負荷手段が一方向クラッチであることを特徴とする請求項１に記載の電気掃除機の吸込み具。
【請求項３】
前記吸込み具本体が前記一方向に移動される場合に前記清掃部材の毛が通過するとともにこの通過する毛を起こすブラシ清掃部材を前記吸込み具本体内に設けたことを特徴とする請求項１又は２に記載の電気掃除機の吸込み具。
【発明の詳細な説明】
【技術分野】
【０００１】
本発明は、網戸の掃除に使用される電気掃除機の吸込み具に関する。
【背景技術】
【０００２】
従来、電気掃除機に接続して使用される網戸用清掃具として、清掃作業部の網戸に対置される面に、清掃作業部内のタンクから洗浄液が補給されるフェルトと、洗浄液により網戸を洗浄するブラシと、これらの間に汚水通路の吸込み口を配設し、汚水通路から供給される汚水を液体とそれ以外に分離する気液分離部を清掃作業部に接続し、この気液分離部で分離された液体を、気液分離部に接続された電気掃除機に吸い込ませるようにした網戸用清掃具が知られている（例えば、特許文献１参照。）。
【０００３】
この他に、電気掃除機に接続して使用される網戸用清掃具として、吸込み開口の縁に本体側毛ブラシが植毛された丸ブラシ本体内に、この本体を通過する気流により回転される軸流ファンを配設し、このファンが有した複数の羽根の先端部にファン側毛ブラシを植毛して、網戸に対して直角方向に延びる軸線周りに回転されるファン側ブラシ毛で、網戸に付着している塵埃を掻き落とすようにした網戸用清掃具が知られている（例えば、特許文献２，３参照。）。
【特許文献１】特開２００２−１７２０７４号公報
【特許文献２】特開２００２−８５３００号公報
【特許文献３】特許第３７８４２６４号公報
【発明の開示】
【発明が解決しようとする課題】
【０００４】
特許文献１の技術では、洗浄液を使用する関係から多くの部品が必要であるので、構成が複雑でコスト高であるだけではなく、大形でかつ重くなるので、取扱い及び格納する上でも不便である。
【０００５】
このような問題は、洗浄液を使用しないで、丸ブラシ本体内のファン側ブラシ毛を網戸と平行に回転させて網戸に付着している塵埃を掻き落とす引用文献２，３の技術では解決できる。
【０００６】
しかし、引用文献２，３の技術では、網戸への押付け加減にもよるが、ファン側ブラシ毛がその回転に伴って網戸の接触面に沿って倒れるように変形して回転される傾向が高い。このため、網戸の塵埃をファン側ブラシ毛で掻き落とす性能を十分に発揮し難い。特に、ファン側ブラシ毛が接する側と反対側の網戸の表面の塵埃を落し難い。この点で更なる改善が求められている。
【０００７】
こうした事情に基づいて本発明者は、エチケットブラシ（商品名）に多用されている起毛布を、吸込み具本体の吸込み開口の前後方向中間部に平らな状態に配設して、この起毛布で網戸に付着している塵埃を除去する吸込み具を試作するに至った。ここに起毛布とは、それが有した毛が、網戸に沿って起毛布が一方向に移動される場合に倒れる状態となり、この逆に前記一方向とは反対方向に網戸に沿って起毛布が移動される場合に起きる状態となるものを指している。
【０００８】
この試作品によれば、明確な理由は不明であるが、網戸の表裏に付着した塵埃を起毛布で効果的に除去できることが認められ、更に、起毛布は網戸から除去した塵埃を毛相互間に保持する性能が高いことも認められた。しかし、起毛布が平らであるとはいえ、網戸と平行を保って吸込み具本体を移動させることは難しく、起毛布の特定の一部が網戸に擦られ続けることが多々ある。
【０００９】
そのため、比較的早期に、起毛布の毛相互間に入り込んで保持された塵埃が過度に溜まって、網戸に付着した塵埃を除去する性能が低下することがわかった。
【００１０】
本発明の目的は、網戸の両面に付着した塵埃を除去し易いとともに、この除去性能の持続性が高い電気掃除機の吸込み具を提供することにある。
【課題を解決するための手段】
【００１１】
本発明は、網戸の掃除に使用される吸込み具において、吸込み具本体と、回転ブラシと、回転負荷手段を具備する。回転ブラシは、吸込み具本体の吸込み開口と同方向に延びる軸線周りに回転可能に設けられていて、吸込み開口に露出するブラシ本体、及びこのブラシ本体の外周に装着された清掃部材を備え、清掃部材は、網戸に沿って吸込み具本体が一方向に移動される場合に倒れ、かつ、網戸に沿って前記一方向とは反対方向に吸込み具本体が移動される場合に起きる毛を有している。回転負荷手段は、吸込み具本体が前記一方向に移動される場合に回転ブラシの回転を許し、吸込み具本体が前記反対方向に移動される場合に回転ブラシの回転に負荷を与えるものであることを特徴としている。
【発明の効果】
【００１２】
本発明によれば、網戸の両面に付着した塵埃を除去し易いとともに、この除去性能の持続性が高い電気掃除機の吸込み具を提供できる。
【発明を実施するための最良の形態】
【００１３】
図１〜図６を参照して本発明の一実施形態を説明する。
【００１４】
図１中符号１は例えばキャニスタ型の電気掃除機を示している。電気掃除機１は、その掃除機本体２に接続された可撓性の吸塵ホース３を備えている。掃除機本体２には、図示しないが電動送風機、この電動送風機により吸込まれる含塵気流を空気と塵に分離する塵分離部、及びこの分離部で分離された塵を溜める集塵部等、掃除に必要とする構成が設けられている。吸塵ホース３の硬質な先端部３ａに図示しない延長管が取外し可能に接続され、この延長管の先端に通常床掃除に用いられる図示しない吸込み口体が取外し可能に接続される。
【００１５】
図１〜図３中符号１１は一実施形態に係る網戸掃除用の吸込み具を示している。この吸込み具１１は、電気掃除機１の付属品であり、網戸５を掃除する場合に、前記図示しない床掃除用の吸込み口体と交換して吸塵ホース３の先端部３ａ又は前記図示しない延長管の先端部に嵌合状態に接続して使用される。
【００１６】
吸込み具１１は、吸込み具本体１２と、回転ブラシ２１と、回転負荷手段例えば一方向クラッチ３１と、第１のブラシ清掃部材３６及び第２のブラシ清掃部材３８を具備している。
【００１７】
吸込み具本体１２は、例えば横長をなした本体部１３に接続管部１４を一体に設けて形成されている。本体部１３は中空でその下面は開放されて吸込み開口１３ａをなしている。吸込み開口１３ａは吸込み具１１が押し引きされる方向に直交して左右方向に延びている。接続管部１４は、本体部１３の長手方向中央部でかつ後部から斜め上方に突出されていて、吸込み開口１３ａに連通している。この接続管部１４は、吸塵ホース３の先端部３ａ又は前記図示しない延長管の先端部に接続される。
【００１８】
なお、符号１５は吸込み開口１３ａの周りを囲んで設けられた縁カバーを示している。この縁カバー１５は、本体部１３をなした合成樹脂材が網戸５に引っかかってこれを傷つけないようにするための丸みを帯びて形成されるとともに、本体部１３をなした合成樹脂材よりも網戸５との間での滑り性が良い材料で作られている。
【００１９】
回転ブラシ２１は、図３及び図４に示すようにブラシ本体２２と、清掃部材２５とを備えている。
【００２０】
ブラシ本体２２は、図４に示すように円柱状であり、その中心部を貫通する回転軸２２ａを有している。この回転軸２２ａの両端部を本体部１３の長手方向両端部に設けた図示しない軸受に支持させることによって、回転ブラシ２１が、吸込み開口１３ａと同方向に延びる図示しない軸線、言い換えれば、前記図示しない軸受を結んだ直線周りに回転可能に吸込み具本体１２内に取付けられている。この取付け状態で、回転ブラシ２１の下端部は、図３に示すように吸込み開口１３ａに露出されるように設けられていて、それにより、図２及び図３に示すように回転ブラシ２１で吸込み開口１３ａが前後に二分されている。
【００２１】
清掃部材２５はブラシ本体２２の外周全体に装着されている。この清掃部材２５として、網戸５に対する吸込み具１１の移動方向によって起倒される毛２５ａ（図３及び図６参照）を有した所謂起毛布が用いられている。すなわち、清掃部材２５の毛２５ａは、網戸５に沿って吸込み具本体１２が一方向例えば上方向に移動される際に倒れ、この逆に網戸５に沿って吸込み具本体１２が前記一方向とは反対方向である下方向に移動される際に起きるようになっている。
【００２２】
図２に示すように吸込み具本体１２の長手方向一端部に一方向クラッチ３１が内蔵されている。この一方向クラッチ３１は、例えば図５に示されるように爪車３２とこの爪車３２の爪部に係脱される爪３３とで形成されている。爪車３２は回転軸２２ａの一端部に固定されている。爪３３は吸込み具本体１２に取付けた支軸３４に回動可能に支持されている。この一方向クラッチ３１は、吸込み具本体１２が前記一方向（上方向）に移動される場合に、爪車３２の爪部との係合が外れる方向に回動して爪車３２及び回転ブラシ２１の回転を許すとともに、吸込み具本体１２が前記反対方向（下方向）に移動される場合に、爪車３２の爪部との係合を保持して爪車３２及び回転ブラシ２１の逆転を阻止する。したがって、後者の場合、回転ブラシ２１の逆転を阻止するだけの負荷を、一方向クラッチ３１が回転ブラシ２１に付与しているのと同じである。
【００２３】
図２及び図３に示すように吸込み具本体１２内に、例えば板状をなす第１のブラシ清掃部材３６と第２のブラシ清掃部材３８とが、何れも接続管部１４の前端開口１４ａより前側に位置し、かつ、回転ブラシ２１に向けて吸込み具本体１２の内面から一体に突設されている。これらの先端部は、回転ブラシ２１の毛２５ａに軽微に接している。
【００２４】
回転ブラシ２１の前側からの吸塵を可能とするために、第１のブラシ清掃部材３６と第２のブラシ清掃部材３８は、吸込み具本体１２の前後方向及び回転ブラシ２１の長手方向に位置をずらして配設されている。例えば、図２に示すように単一の第１のブラシ清掃部材３６が回転ブラシ２１の長手方向中央部に配設され、一対の第２のブラシ清掃部材３８が、回転ブラシ２１の長手方向両端部で、かつ、第１のブラシ清掃部材３６より前側に配設されている。
【００２５】
以上の構成の吸込み具１１を電気掃除機１の吸塵ホース３の先端部３ａに接続して網戸５を室内側から掃除するには、電気掃除機１の運転下において、吸込み具１１の吸込み開口１３ａを網戸５に対向させてこの網戸５に沿って吸込み具１１を押上げた後に、この吸込み具１１を網戸５に沿って引下げることを繰り返せばよい。
【００２６】
吸込み具１１が押上げられる場合、網戸５に接している回転ブラシ２１が図６（Ａ）において時計周りに回転される。この時、一方向クラッチ３１の爪車３２は、回転ブラシ２１の回転方向と同方向（図５中時計回り）に回転されるので、この回転を爪３３が妨げることがない。
【００２７】
こうした回転ブラシ２１の回転においては、その清掃部材２５の毛２５ａは網戸５に刺さるようになるにも拘らず、回転ブラシ２１が回転子ながら上方へ移動されることに伴い網戸５によってブラシ本体２２に沿って倒れるように押されるので、毛２５ａが網戸５に引っ掛かることがない。一方、回転ブラシ２１の回転に伴い第１のブラシ清掃部材３６及び第２のブラシ清掃部材３８に到達した毛２５ａは、逆立つように起こされながら（なお、図６（Ａ）では、理解を容易にするために起こされた毛を符号２５ｂで指し示し、それ以外の毛２５ａと区別して表記した。）これら第１のブラシ清掃部材３６及び第２のブラシ清掃部材３８を通過する。こうした第１のブラシ清掃部材３６及び第２のブラシ清掃部材３８による抵抗はあるものの、網戸５との間での抵抗は小さいので、回転ブラシ２１は比較的円滑に回転され、したがって、吸込み具１１を円滑に押上げることができる。
【００２８】
この次に、吸込み具１１が引き下げられる場合、網戸５に接している回転ブラシ２１は図６（Ｂ）において反時計周りに回転されようとする。しかし、この時、回転ブラシ２１と一緒に回ろうとする爪車３２の爪部に対する爪３３の食い込みが強くなるので、一方向クラッチ３１によって回転ブラシ２１の逆転、つまり、吸込み具１１を押上げた場合の回転ブラシ２１の回転に対する逆転が止められる。
【００２９】
このように回転ブラシ２１の回転が止められた状態で、網戸５に沿って吸込み具１１が引下げられるので、図６（Ｂ）に示すように網戸５に接している清掃部材２５の毛２５ａが逆立って網戸５に突き刺さるようになる。なお、図６（Ｂ）では、理解を容易にするために逆立つように起こされた毛を符号２５ｃで指し示し、それ以外の毛２５ａと区別して表記した。
【００３０】
この状態のまま、吸込み具１１は網戸５に沿って引下げられる。それによって、前記逆立った毛２５ｃにより網戸５が引っ掛かりながら擦られるので、網戸５の表裏面に付着している塵埃を容易に浮き立たせることができる。こうした浮き立たされた塵埃は、逆立って隣接している毛２５ｂ相互間に入り込んで保持される。これとともに、網５から回転ブラシ２１の周囲に飛散した塵埃は、吸込み具１１の吸込み開口１３ａに屋外から屋内に向けて網戸５を通って吸引される外気とともに、吸込み開口１３ａに吸込まれる。
【００３１】
そのため、網戸５の表裏に付着した塵埃を回転ブラシ２１の清掃部材２５により効果的に除去して、網戸５を掃除することができる。
【００３２】
こうした掃除では既述のように網戸５から除去された塵埃が清掃部材２５の毛２５ａ相互間に保持されるが、この塵は、網戸５に沿って再び吸込み具１１を押上げることにより除去できる。すなわち、吸込み具１１が押上げられる場合には、既述のように第１のブラシ清掃部材３６と第２のブラシ清掃部材３８とで、これを通過しようとする毛２５ｂが起こされるので、回転ブラシ２１の周方向に隣接した毛相互間に保持された塵埃が、毛相互間から離脱ないしは離脱され易い状態となる。そして、吸込み開口１３ａの回転ブラシ２１の前側開口部位と、接続管部１４とは、図３において回転ブラシ２１の前側及び上側を通って連通されているので、ここを流通して吸込まれる外気によって、逆立った毛２５ｂの周りの塵埃が運び去られる。
【００３３】
以上のように回転ブラシ２１に付着した塵埃を、吸込み具１１を網戸５に沿って押上げるという操作により除去できるので、網戸５を掃除した後に回転ブラシ２１を掃除する手間を要することなく、簡便に回転ブラシ２１を掃除できる。
【００３４】
以上の掃除においては、既述の押上げや引き下げ操作が一定ではないことに伴い回転ブラシ２１の回転量がばらつくので、清掃部材２５を円柱状のブラシ本体２２の外周に装着してなる回転ブラシ２１を網戸５に沿って引下げる都度、回転ブラシ２１が網戸５に引っ掛かる部位が一定せず、様々な部位を用いて既述の引下げ操作で網戸５を掃除できる。したがって、清掃部材２５の隣接した毛２５ａ相互間に入り込んで保持された塵埃が過度に溜まった部位を繰り返し網戸５に接して網戸５が掃除されることがなくなるので、網戸５の両面に付着した塵埃を除去する性能の持続性が高い。
【００３５】
それだけではなく、既述のように第１のブラシ清掃部材３６と第２のブラシ清掃部材３８で清掃部材２５が清掃された回転ブラシ２１を用いて、既述の引下げ操作に伴う網戸５を掃除できるので、この点でも、網戸５の両面に付着した塵埃を除去する性能の持続性が高い。
【００３６】
本発明は前記一実施形態に制約されない。例えば、一実施形態では一方向クラッチ３１を回転負荷手段として用いたので、回転ブラシ２１の回転に対する負荷が１００％であり、回転ブラシ２１の逆転止めができて、網戸５に付着している塵を浮き立たせ易い点で好ましい。しかし、回転負荷手段としては回転ブラシ２１の回転に対する負荷が１００％未満のものであってもよい。つまり、網戸５に沿って吸込み具１１を一方向に移動させる場合に回転ブラシ２１に付与される抵抗に比較して、網戸５に沿って吸込み具１１を前記一方向と反対方向に移動させる場合に回転ブラシ２１に付与される抵抗の方が大きく、それにより、回転ブラシ２１の回転が重くなるように構成された回転負荷手段を採用することも可能である。
【００３７】
更に、一方向クラッチ等の回転負荷手段は、回転ブラシの少なくとも両端部に夫々設けることもできる。
【００３８】
又、本発明で、網戸に沿う一方向の移動とは、前記一実施形態とは逆に吸込み具が引下げられる場合であってもよく、したがって、網戸に沿う前記一方向とは反対方向の移動とは、前記一実施形態とは逆に吸込み具が押上げられる場合であってもよい。同様に、又、本発明で、網戸に沿う一方向の移動及びこの一方向とは反対方向の移動とは、網戸に対して上下方向ではなく横方向（左右方向）の往復移動であってもよい。
【図面の簡単な説明】
【００３９】
【図１】本発明の一実施形態に係る吸込み具を掃除機本体の一部とともに示す図。
【図２】図１の吸込み具を示す底面図。
【図３】図１の吸込み具を示す断面図。
【図４】図１の吸込み具が備える回転ブラシを示す斜視図。
【図５】図１の吸込み具が備える回転付加手段を示す側面図。
【図６】（Ａ）は図１の吸込み具を網戸に沿って押上げたときの回転ブラシと網戸とブラシ清掃部材との関係を示す図。（Ｂ）は図１の吸込み具を網戸に沿って引下げたときの回転ブラシと網戸とブラシ清掃部材との関係を示す図。
【符号の説明】
【００４０】
１…電気掃除機、５…網戸、１１…吸込み具、１２…吸込み具本体、１３ａ…吸込み開口、１４…接続管部、２１…回転ブラシ、２２…ブラシ本体、２２ａ…回転軸、２５…清掃部材、２５ａ…毛、３１…一方向クラッチ（回転負荷手段）、３６，３８…ブラシ清掃部材
【図１】
2010063624.tif 000003
【図２】
2010063624.tif 000004
【図３】
2010063624.tif 000005
【図４】
2010063624.tif 000006
【図５】
2010063624.tif 000007
【図６】
2010063624.tif 000008